(57)【要約】【課題】施工性、汎用性に優れた安価な見切材及びこれを用いた外壁施工構造を提供すること。【解決手段】外壁板の端部を覆うように配設される見切材１。見切材１は、外壁板の下地に固定される断面略Ｌ字形状の固定板部２と、固定板部２に対して前後にスライド可能に組み付けられた断面略Ｌ字形状の可動前面板部３とからなる。固定板部２は、外壁板の後方に配される後面部２１と、後面部２１から前方へ立設された立設部２２とからなる。可動前面板部３は、外壁板の端部の前面に配される前面部３１と、前面部３１から後方へ立設されたスライド部３２とからなる。立設部２２とスライド部３２とは、互いに摺動可能な状態で係合している。【選択図】図１
2005325638.tif 000002
【特許請求の範囲】
【請求項１】
外壁板の端部を覆うように配設される見切材であって、
該見切材は、上記外壁板の下地に固定される断面略Ｌ字形状の固定板部と、該固定板部に対して前後にスライド可能に組み付けられた断面略Ｌ字形状の可動前面板部とからなり、
上記固定板部は、上記外壁板の後方に配される後面部と、該後面部から前方へ立設された立設部とからなり、
上記可動前面板部は、上記外壁板の端部の前面に配される前面部と、該前面部から後方へ立設されたスライド部とからなり、
上記立設部と上記スライド部とは、互いに摺動可能な状態で係合していることを特徴とする見切材。
【請求項２】
請求項１において、上記立設部及び上記スライド部のいずれか一方は、他方を嵌入させる嵌入部を有することを特徴とする見切材。
【請求項３】
請求項１又は２において、上記立設部及び上記スライド部は、互いが外れないように先端を折返した抜止折返部をそれぞれ設けてなることを特徴とする見切材。
【請求項４】
請求項１〜３のいずれか一項において、上記見切材は、上記固定板部と上記可動前面板部とを互いに固定するための固定手段を有することを特徴とする見切材。
【請求項５】
下地材に留め付けられた外壁板と、該外壁板の端部を覆うように配設した見切材とを有する外壁施工構造であって、
上記見切材は、上記外壁板の下地に固定される断面略Ｌ字形状の固定板部と、該固定板部に対して前後にスライド可能に組み付けられた断面略Ｌ字形状の可動前面板部とからなり、上記固定板部は、上記外壁板の後方に配される後面部と、該後面部から前方へ立設された立設部とからなり、上記可動前面板部は、上記外壁板の端部の前面に配される前面部と、該前面部から後方へ立設されたスライド部とからなり、上記立設部と上記スライド部とは、互いに摺動可能な状態で係合しており、
かつ、上記固定板部の上記後面部は、上記下地材の後面に配置され、上記可動前面板部の上記前面部は、上記外壁板の端部の前面に配置されていることを特徴とする外壁施工構造。
【請求項６】
請求項５において、上記立設部及び上記スライド部のいずれか一方は、他方を嵌入させる嵌入部を有することを特徴とする外壁施工構造。
【請求項７】
請求項５又は６において、上記見切材は、固定手段によって、上記固定板部と上記可動前面板部とを互いに固定していることを特徴とする外壁施工構造。
【発明の詳細な説明】
【技術分野】
【０００１】
本発明は、外壁板の端部を覆うように配設される見切材及びこれを用いた外壁施工構造に関する。
【背景技術】
【０００２】
従来より、軒天部等に配設される外壁板の上端部には、該上端部を覆うように見切材が配設される。該見切材は、後面部と上面部と前面部とを有する断面略コ字状に形成され、外壁板の上端部を収容することができる収容凹部が形成されている。そして、外壁板の上端部を見切材の収容凹部に収めることにより、外観意匠性を向上させると共に、外壁板内部への雨水の浸入を防いでいる。
【０００３】
上記のごとく、上記見切材の収容凹部には、外壁板の上端部を収容する必要があるため、外壁板の厚みに応じて、収容凹部を適切な幅に設定する必要がある。それ故、種々の厚みの外壁板に対応するためには、種々の見切材を用意する必要があり、部材コストが高くなるという問題がある。
【０００４】
そこで、２つの部材を係合して、収容凹部の幅を変更することができるよう構成した見切縁が開示されている（特許文献１）。
しかしながら、該見切縁は、上記２つの部材のそれぞれに、複雑な係合手段を設けてなるため、製造コストが高くなる。また、２つの部材を用いるため、施工性の観点からも、必ずしも有利とはいえない。
更に、上記見切縁は、配設箇所が軒天部に限定されるため、見切材としての汎用性に欠けるという問題もある。
【０００５】
【特許文献１】特開平１１−１０７５０８号公報
【発明の開示】
【発明が解決しようとする課題】
【０００６】
本発明は、上記従来の問題点に鑑みてなされたものであり、施工性、汎用性に優れた安価な見切材及びこれを用いた外壁施工構造を提供しようとするものである。
【課題を解決するための手段】
【０００７】
第１の発明は、外壁板の端部を覆うように配設される見切材であって、
該見切材は、上記外壁板の下地に固定される断面略Ｌ字形状の固定板部と、該固定板部に対して前後にスライド可能に組み付けられた断面略Ｌ字形状の可動前面板部とからなり、
上記固定板部は、上記外壁板の後方に配される後面部と、該後面部から前方へ立設された立設部とからなり、
上記可動前面板部は、上記外壁板の端部の前面に配される前面部と、該前面部から後方へ立設されたスライド部とからなり、
上記立設部と上記スライド部とは、互いに摺動可能な状態で係合していることを特徴とする見切材にある（請求項１）。
【０００８】
次に、本発明の作用効果につき説明する。
上記見切材は、上記固定板部と該固定板部に対して前後にスライド可能に組み付けられた可動前面板部とからなる。そのため、固定板部の後面部と可動前面板部の前面部との間に形成される収容凹部を、見切材に収容する外壁板等の厚みに応じて、適切な幅に容易に調整することができる。それ故、種々の厚みの外壁板等に対応するために、種々の見切材を用意する必要がなく、部材コストを低減することができる。
【０００９】
また、上記固定板部と上記可動前面板部とは、共に断面略Ｌ字形状であり、例えば鋼板の折り曲げ加工によって簡単に形成することができる。そのため、製造コスト、部材コストを低減することができる。また、上記立設部と上記スライド部とにおいて互いに係合していることにより、上記固定板部と上記可動前面板部とは一体化された状態にある。そのため、上記見切材は、一体品として施工時において取り扱うことができるため、施工性が向上する。
【００１０】
更に、上記見切材は、断面略Ｌ字形状の２つの部材を組合せた、断面略コ字形状の部材であり、特に複雑な形状を有するものではない。そのため、配設箇所についても軒天部等に限定されることなく、建物における種々の部位に上記見切材を配設することができる。それ故、該見切材は汎用性に優れている。
【００１１】
以上のごとく、本発明によれば、施工性、汎用性に優れた安価な見切材を提供することができる。
【００１２】
第２の発明は、下地材に留め付けられた外壁板と、該外壁板の端部を覆うように配設した見切材とを有する外壁施工構造であって、
上記見切材は、上記外壁板の下地に固定される断面略Ｌ字形状の固定板部と、該固定板部に対して前後にスライド可能に組み付けられた断面略Ｌ字形状の可動前面板部とからなり、上記固定板部は、上記外壁板の後方に配される後面部と、該後面部から前方へ立設された立設部とからなり、上記可動前面板部は、上記外壁板の端部の前面に配される前面部と、該前面部から後方へ立設されたスライド部とからなり、上記立設部と上記スライド部とは、互いに摺動可能な状態で係合しており、
かつ、上記固定板部の上記後面部は、上記下地材の後面に配置され、上記可動前面板部の上記前面部は、上記外壁板の端部の前面に配置されていることを特徴とする外壁施工構造にある（請求項５）。
【００１３】
上記外壁施工構造は、上述のごとく、施工性、汎用性に優れた安価な見切材を配設してなる。
それ故、本発明によれば、施工性に優れた安価な外壁施工構造を提供することができる。
【発明を実施するための最良の形態】
【００１４】
上記第１の発明（請求項１）又は上記第２の発明（請求項５）において、上記見切材は、例えば、建物の軒天部、窓やメータボックス等の開口部周り、出隅部、或いは、異種の外壁板の間の接合部等に配設することができる。また、上記見切材は、外壁板の上端部、下端部、側端部等、何れの端部にも配設することができる。
【００１５】
また、上記見切材は、例えばガルバリウム鋼板、ガルタイト鋼板等を折り曲げ加工することによって作製することができる。
また、上記見切材は、新築、リフォームいずれの場合にも、用いることができる。
なお、本明細書においては、建物の外側方向を「前」、内側方向を「後」として説明する。見切材についても、施工した状態において、建物の外側方向、内側方向となる方向をそれぞれ「前」、「後」として説明する。
【００１６】
また、上記立設部及び上記スライド部のいずれか一方は、他方を嵌入させる嵌入部を有することが好ましい（請求項２、請求項６）。
この場合には、上記立設部とスライド部とを係合させた状態とすることが容易となる。
【００１７】
また、上記立設部及び上記スライド部は、互いが外れないように先端を折返した抜止折返部をそれぞれ設けてなることが好ましい（請求項３）。
この場合には、上記固定板部と上記可動前面板部とが外れないようにすることができ、施工時における見切材の取扱いを容易とすることができる。
【００１８】
また、上記見切材は、上記固定板部と上記可動前面板部とを互いに固定するための固定手段を有することが好ましい（請求項４）。
この場合には、上記見切材を、外壁板の端部に配設した際に、固定板部の後面部と可動前面板部の前面部との間に形成される収容凹部の幅を一定に保つことができる。
上記固定手段としては、例えば、接着テープ、シーリング材等を用いることができる。
【００１９】
また、上記第２の発明（請求項５）において、上記見切材は、固定手段によって、上記固定板部と上記可動前面板部とを互いに固定していることが好ましい（請求項７）。
この場合には、外壁板の端部に配設された見切材において、固定板部の後面部と可動前面板部の前面部との間に形成される収容凹部の幅を一定に保つことができる。
【実施例】
【００２０】
（実施例１）
本発明の実施例にかかる見切材及びこれを用いた外壁施工構造につき、図１〜図８を用いて説明する。
本例の見切材１は、図４〜図６に示すごとく、外壁板４の端部４１を覆うように配設される。
見切材１は、図１〜図３に示すごとく、上記外壁板４の下地となる既存壁５１（図４、図６参照）に固定される断面略Ｌ字形状の固定板部２と、該固定板部２に対して前後にスライド可能に組み付けられた断面略Ｌ字形状の可動前面板部３とからなる。
【００２１】
上記固定板部２は、上記外壁板４の後方に配される後面部２１と、該後面部２１から前方へ立設された立設部２２とからなる。
上記可動前面板部３は、上記外壁板４の端部４１の前面に配される前面部３１と、該前面部３１から後方へ立設されたスライド部３２とからなる。
上記立設部２２と上記スライド部３２とは、互いに摺動可能な状態で係合している。
【００２２】
本例の見切材１は、図７、図８に示すごとく、建物の窓やメータボックス取付部等の開口部５９の周りに配設することができる。なお、図７、図８においては、見切材１を簡略化して描いてある。また、上記見切材１は、外壁板４の上端部、下端部、側端部等、何れの端部４１にも配設することができる。また、上記見切材１は、リフォームの際に新たに配設される外壁板４の端部４１に配設することができる。
また、上記見切材１は、例えば、ガルバリウム鋼板を折り曲げ加工することによって簡単に作製することができる。
【００２３】
上記立設部２２は、図１〜図３に示すごとく、スライド部３２を嵌入させる嵌入部２２１を有する。該嵌入部２２１は、上記立設部２２を構成する鋼板を、断面略Ｎ字形状に、２回折返すことにより形成される。そして、上記鋼板の端部を更に内側（後面部２１側）へ折返すことにより、抜止折返部２２２が形成される。該抜止折返部２２２は、図１に示すごとく、上記スライド部３２に設けた抜止折返部３２２と係合可能な状態となることにより、上記立設部２２とスライド部３２とが互いに外れないようにする機能を有する。
上記スライド部３２に設けた抜止折返部３２２は、上記スライド部３２の端部において、鋼板を外側（前面部３１と反対側）に折返すことにより形成される。
また、上記可動前面板部３の前面部３１の端部には、補強用折返部３１２が設けてある。
【００２４】
また、図４、図５に示すごとく、上記見切材１は、上記固定板部２と上記可動前面板部３とを互いに適切な見切幅に固定するための固定手段１１を有する。該固定手段１１としては、接着テープが使用され、見切材１の内側から貼設される。また、固定手段１１に外壁板４の端部４１が当接するよう施工される。このようにすれば、固定手段１１が防水性を有するとき、見切材１と外壁板４との間からの雨水の浸入を防ぐことができる。
【００２５】
上記見切材１を用いた外壁施工構造５について、図４〜図８を用いて説明する。
該外壁施工構造５は、図４に示すごとく、既存壁５１に対して胴縁５２１を介して、リフォーム用の新たな外壁板４をビス５４１によって留め付けてなる。上記既存壁５１は、胴縁５２２を介して構造躯体５３にビス５４２によって固定されている。
【００２６】
図４、図６に示すごとく、上記見切材１は、上記外壁板４の端部４１を覆うように、配設されている。即ち、見切材１の固定板部２の後面部２１は、既存壁５１とその前面に配された上記胴縁５２１との間に配されている。また、見切材１の可動前面板部３の前面部３１は、上記外壁板４の前面に配されている。そして、固定板部２の立設部２２と可動前面板部３のスライド部３２とにかけて、内側から固定手段１１としての接着テープが貼着してある。
また、上記立設部２２と既存壁５１との間には、漏水防止のためのシーリング材５５を打設してある。
【００２７】
上記見切材１は、図８に示すごとく、建物の開口部５９の周りに配設されており、開口部５９に向かう外壁板４の端部４１に配設されている。即ち、見切材１を設けないとした場合に露出することとなる外壁板４の端部４１を覆うように配設される。
上記外壁施工構造５を構築するに当っては、まず、図７に示すごとく、既存壁５１に対して見切材１を、固定板部２の後面部２１において、胴縁５２１と共に固定する。この施工を、開口部５９の上辺、下辺、左辺、右辺の４辺について行う。
【００２８】
次いで、上記見切材１の可動前面板部３を固定板部２に対してスライドさせて、前面部２１と後面部３１との間の収容凹部１２の前後幅（見切幅）を適切な幅に調整する。この適切な幅とは、上記収容凹部１２に胴縁５２１と外壁板４の端部４１とが収まるような幅であり、胴縁５２１と外壁板４との合計の厚みに略相当する。
次いで、固定手段１１によって、可動前面板部３と固定板部２とを互いに固定する。
次いで、図４、図６、図８に示すごとく、外壁板４の端部４１を見切材１の収容凹部１２に嵌入しつつ、外壁板４を胴縁５２１を介して既存壁５１に固定する。
【００２９】
上述のごとく、上記胴縁５２１や外壁板４の厚みによっては、見切材１の収容凹部１２の前後幅を調整する必要がある。例えば、図５に示すようなモルタルからなる既存壁５１０にリフォーム用の新たな外壁板４を配設する場合、厚みの大きい胴縁５２０を用いる必要がある。この場合、見切材１の収容凹部１２の前後幅を大きくする必要があり、可動前面板部３を固定板部２に対して前方へスライドさせた状態で使用する。
なお、図５に示すモルタルからなる既存壁５１０は、木摺５２３を介して構造躯体５３に固定されている。
また、上記見切材１における収容凹部１２の前後幅は、３０〜６０ｍｍの範囲で調整することができるよう構成されている。
【００３０】
次に、本例の作用効果につき説明する。
上記見切材１は、上記固定板部２と該固定板部２に対して前後にスライド可能に組み付けられた可動前面板部３とからなる。そのため、図４、図５に示すごとく、固定板部２の後面部２１と可動前面板部３の前面部３１との間に形成される収容凹部１２を、見切材１に収容する外壁板４や胴縁５２１、５２０の厚みに応じて、適切な幅に容易に調整することができる。それ故、種々の厚みの外壁板４や胴縁５２１、５２０等に対応するために、種々の見切材を用意する必要がなく、部材コストを低減することができる。
【００３１】
また、上記固定板部２と上記可動前面板部３とは、共に断面略Ｌ字形状であり、鋼板の折り曲げ加工によって簡単に形成することができる。そのため、製造コスト、部材コストを低減することができる。また、上記立設部２２と上記スライド部３２とにおいて互いに係合していることにより、上記固定板部２と上記可動前面板部３とは一体化された状態にある。そのため、上記見切材１は、一体品として施工時において取り扱うことができるため、施工性が向上する。
【００３２】
更に、上記見切材１は、断面略Ｌ字形状の２つの部材を組合せた、断面略コ字形状の部材であり、特に複雑な形状を有するものではない。そのため、配設箇所についても軒天部等に限定されることなく、建物における種々の部位に上記見切材１を配設することができる。それ故、該見切材１は汎用性に優れている。
【００３３】
また、上記立設部２２は、他方を嵌入させる嵌入部２２１を有するため、図１、図２に示すごとく、上記立設部２２とスライド部３２とを係合させた状態とすることが容易となる。
また、立設部２２及びスライド部３２は、それぞれ抜止折返部２２２、３２２を設けてなるため、図１に示すごとく、固定板部２と可動前面板部３とが容易に外れないようにすることができ、施工時における見切材１の取扱いを容易とすることができる。
【００３４】
また、上記見切材１は上記固定手段１１を使用することによって、図４〜図６に示すごとく、見切材１を、外壁板４の端部４１に配設した際に、固定板部２の後面部２１と可動前面板部３の前面部３１との間に形成される収容凹部１２の幅を一定に保つことができる。
【００３５】
以上のごとく、本例によれば、施工性、汎用性に優れた安価な見切材、及びこれを用いた外壁施工構造を提供することができる。
【００３６】
（実施例２）
本例は、図９に示すごとく、建物の出隅部に配された外壁板４の端部４１に、見切材１を配設した例である。
出隅部においても、寸法調整をするために外壁板４を切断して、切断面が露出する場合がある。この切断面を有する端部４１を覆うように、本発明の見切材１を配設する。
その他は、実施例１と同様であり、実施例１と同様の作用効果を有する。
【００３７】
（実施例３）
本例は、図１０に示すごとく、厚みの異なる外壁板４の接合部に、見切材１を配設した例である。
本例の外壁施工構造５においては、厚みの大きい外壁板４と、該外壁板４よりも厚みの小さい外壁板４０とを隣接配置しており、これらの間に目地材５６を打設してある。また、該目地材５６の後方には、片ハットジョイナー５６１が配設されている。
【００３８】
厚みの大きい外壁板４は、留め付け金具５７によって胴縁５２１に留め付けられており、厚みの小さい外壁板４０は釘５４３により胴縁５２１に留め付けられている。
そして、厚みの大きい外壁板４の端部４１を覆うように、見切材１を配設してある。また、該見切材１の固定板部２の後面部２１は、上記留め付け金具５７と胴縁５２１との間に配置している。
【００３９】
上記目地材５６は、上記外壁板４０の側端面４１１と、上記見切材１の固定板部２の立設部２２との間に打設されており、漏水を防止してる。
その他は、実施例１と同様である。
【００４０】
本例の場合には、異なる厚みの外壁板４、４０の接合部において、目地材５６を容易かつ確実に打設することができる。また、上記接合部における外観意匠性を向上させることができる。
その他、実施例１と同様の作用効果を有する。
【００４１】
（実施例４）
本例は、図１１に示すごとく、異なる種類の外壁の接合部に見切材１を配設した例である。
即ち、例えば、一方の外壁を窯業系の外壁板４（サイディング壁）からなるものとし、他方の外壁をモルタル壁４００からなるものとすることができる。
そして、外壁板４の端部４１を覆うように見切材１を配設してある。
【００４２】
また、上記外壁板４は、防水紙５８１、胴縁５２１を介して構造躯体５３に、釘５４３によって固定されている。上記モルタル壁４００は、防水紙５８１を介して、木摺５８２の前面に配設されている。上記防水紙５８１は、上記胴縁５２１の後方にも配設されている。
また、目地材５６は、上記モルタル壁４００の側端面４１１と、上記見切材１の固定板部２の立設部２２との間に片ハットジョイナーを使用して打設してある。また、上記見切材１の固定板部２の後面部２１は、胴縁５２１と外壁板４との間に配されて、釘５４３によって胴縁５２１に固定されている。
その他は、実施例１と同様である。
【００４３】
本例の場合には、異なる種類の外壁の接合部において、優れた外観意匠性を確保することができる。
その他、実施例１と同様の作用効果を有する。
【図面の簡単な説明】
【００４４】
【図１】実施例１における、収容凹部の幅を最も大きくした状態の見切材の斜視図。
【図２】実施例１における、収容凹部の幅を最も小さくした状態の見切材の斜視図。
【図３】実施例１における、固定板部及び可動前面板部の斜視図。
【図４】実施例１における、胴縁の幅が小さい場合の外壁施工構造の断面図。
【図５】実施例１における、胴縁の幅が大きい場合の外壁施工構造の断面図。
【図６】実施例１における、外壁施工構造の斜視図。
【図７】実施例１における、建物の開口部に見切材を配設した状態の斜視図。
【図８】実施例１における、建物の開口部の外壁施工構造の斜視図。
【図９】実施例２における、出隅部に見切材を配設した外壁施工構造の斜視図。
【図１０】実施例３における、異なる厚みの外壁板の間に見切材を配設した外壁施工構造の斜視図。
【図１１】実施例４における、異なる種類の外壁の間に見切材を配設した外壁施工構造の斜視図。
【符号の説明】
【００４５】
１  見切材
２  固定板部
２１  後面部
２２  立設部
３  可動前面板部
３１  前面部
３２  スライド部
４  外壁板
４１  端部
５  外壁施工構造
５１  既存壁
５２１  胴縁
【図１】
2005325638.tif 000003
【図２】
2005325638.tif 000004
【図３】
2005325638.tif 000005
【図４】
2005325638.tif 000006
【図５】
2005325638.tif 000007
【図６】
2005325638.tif 000008
【図７】
2005325638.tif 000009
【図８】
2005325638.tif 000010
【図９】
2005325638.tif 000011
【図１０】
2005325638.tif 000012
【図１１】
2005325638.tif 000013